(57)【要約】窓２１や他の開口部に取り付ける装置２０。ヘッダー２６、敷居２５及びヘッダーと敷居の端部の間で伸長するフレーム２３、２４を含む。ヘッダーはチューブ５３を担持しカーテン組立体２７の一端がチューブに取り付けられる。この組立体はチューブ５３にコイル巻きしたスプリング５４によりバイアスされる。この組立体を手動で側部フレームに沿って移動して窓をカバーする。バー３１がこの組立体の他端に形成される。バーはガイド及びロック組立体１１０を担持し、この組立体は少なくとも一方のフレームに沿って係合し、フレームに沿った任意の位置にカーテン組立体をガイドし保持する。テンション組立体３２がヘッダーに配置され、装置を分解せずにスプリングのテンションを調節できる。ヘッダー、敷居及び各フレームはシール面５０、１０５、８９を有し、風圧によりカーテン組立体がこれらシール面に係合し窓全周がシールされる。
2006509135.tif 000002
【特許請求の範囲】
【請求項１】
建物の開口部をカバーするための装置であって、
相互に向き合うように対置したフレーム、
前記フレームに沿って手動で移動可能なカーテン組立体、及び
前記フレームに沿って前記カーテン組立体をガイドするために、少なくとも一つの前記フレームによって選択的に受けられる、前記カーテン組立体によって担持されるデバイス、
を含む装置。
【請求項２】
請求項１の装置であって、
前記フレームが、スロットを含み、
前記デバイスが、前記スロットに受けられ、前記スロットに沿って移動可能なフランジを含む、
ところの装置。
【請求項３】
請求項２の装置であって、
前記デバイスが、
前記スロットに前記フランジが係合するように、前記フランジを前記スロット内にさらに移動させるロック手段、
を含む、
ところの装置。
【請求項４】
請求項３の装置であって、
前記フランジが先細であり、
前記ロック手段が前記フランジを前記スロット内にさらに移動させると、前記フランジが、前記スロットにロックされ、前記カーテン組立体が、前記フレームに沿った所望の位置に保持される、
ところの装置。
【請求項５】
請求項３の装置であって、
前記カーテン組立体が、その一方の端部に固定したバーを有する布シートを含み、
前記バーが、前記ロック手段を担持する、
ところの装置。
【請求項６】
請求項３の装置であって、
前記ロック手段が、
前記カーテン組立体によって担持されるハウジング、
前記ハウジング内に配置され、前記フレームを担持するプランジャ、及び
前記フレームが前記スロットで係合されるように、前記プランジャをバイアスさせる、前記ハウジング内のスプリング、
を含む、
ところの装置。
【請求項７】
請求項６の装置であって、
前記ロック手段が、
前記フランジと前記スロットとの係合を解除するように、前記プランジャ上で作動可能なボタン、
をさらに含む、
ところの装置。
【請求項８】
請求項１の装置であって、
前記の相互に向き合うように対置したフレーム、上方部材及び下方部材によって形成される周囲を有し、
前記カーテン組立体が、前記上方部材と前記下方部材との間、及び前記フレームの間に伸長するように適合され、これらの間の空間をカバーし、
前記上方部材、前記下方部材及び前記の相互に向き合うように対置したフレームの各々が、シール面を有し、前記カーテン組立体が力に晒されると、前記カーテン組立体の前記周囲が、前記シール面の各々に係合する、
ところの装置。
【請求項９】
請求項１の装置であって、
チューブであって、前記カーテン組立体が、前記開口部をカバーしないときに、前記チューブに巻き取られ、前記開口部をカバーするときに、前記チューブから繰り出される、ところのチューブ、及び
巻取り位置に向けて前記カーテン組立体をバイアスするスプリング、及び
当該装置を分解せずに、前記スプリングのテンションを調節するシステム、
をさらに含む装置。
【請求項１０】
請求項９の装置であって、
前記の相互に向き合うように対置したフレーム、上方部材及び下方部材によって形成される周囲を有し、
前記カーテン組立体が、前記上方部材と前記下方部材との間、及び前記の相互に向き合うように対置したフレームの間に伸長するように適合され、これらの間の空間をカバーし、
前記上方部材、前記下方部材及び前記の相互に向き合うように対置したフレームの各々がシール面を有し、前記カーテン組立体が力に晒されると、前記カーテン組立体の前記周囲が前記シール面の各々に係合する、
ところの装置。
【請求項１１】
建物の開口部をカバーするための装置であって、
チューブ、
カーテン組立体であって、前記カーテン組立体が、前記チューブに取り付けられる一方の端部を有し、前記カーテン組立体が前記開口部をカバーしていないときに、前記カーテン組立体が前記チューブに巻き取られ、前記開口部をカバーするときに、前記カーテン組立体が前記チューブから繰り出される、ところのカーテン組立体、
巻取り位置に向けて前記カーテン組立体をバイアスするスプリング、及び
当該装置を分解せずに、前記スプリングのテンションを調節するシステム、
を含む装置。
【請求項１２】
請求項１１の装置であって、
前記システムが、ドライバーを含み、
前記スプリングが、前記チューブと前記ドライバーとの間に取り付けられる、
ところの装置。
【請求項１３】
請求項１２の装置であって、
前記システムが、
前記ドライバーに担持されるナット、及び
前記ナットに担持される歯車板、
を含む、
ところの装置。
【請求項１４】
請求項１３の装置であって、
前記歯車板が、放射方向に突き出した歯を含み、
前記システムが、前記スプリングの力に抗して前記歯車板を保持するために、前記歯を選択的に係合する歯止組立体を含む、
ところの装置。
【請求項１５】
請求項１４の装置であって、
前記歯止組立体が、
前記歯に係合するアーム、及び
前記アームを前記歯と係合させるスプリング、
を含む、
ところの装置。
【請求項１６】
請求項１４の装置であって、
前記歯車板及び前記歯止組立体のハウジングをさらに含み、
前記ハウジングが、前記ナットを露出する開口部を有し、これにより、当該装置を分解せずに、前記スプリングのテンションが調節される、
ところの装置。
【請求項１７】
請求項１１の装置であって、
前記システムが、回転させて前記スプリングのテンションを調節するナットを含み、
前記システムが、アパーチャを有する板を有するハウジング内に位置され、
前記ナットが、前記アパーチャを通じて露出する、
ところの装置。
【請求項１８】
請求項１１の装置であって、
前記チューブを担持する上方部材と、下方部材と、前記上方部材と前記下方部材との間のエッジの間に伸長する相互に向き合うように対置した側方部材とによって形成される周囲を有し、
前記カーテン組立体が、前記チューブから繰り出されてこれらの間の空間をカバーしないときに、前記上方部材と前記下方部材の間、及び前記側方部材の間に伸長し、
前記上方部材、前記下方部材及び前記側方部材の各々が、シール面を有し、前記カーテン組立体が力にさらされると、前記カーテン組立体の前記周囲が前記シール面の各々と係合する、
ところの装置。
【請求項１９】
建物の開口部をカバーするための装置であって、
上方部材、
下方部材、
前記上方部材のエッジと前記下方部材のエッジとの間に伸長する相互に向き合うように対置した側方部材であって、前記上方部材と、前記下方部材と、前記側方部材とによって、当該装置の周囲が形成される、ところの側方部材、及び
これら部材の間の空間をカバーするために前記上方部材と前記下方部材との間、及び前記側方部材の間に伸長するカーテン組立体、
を含み、
前記上方部材、前記下方部材及び前記側方部材の各々が、シール面を有し、前記カーテン組立体が力に晒されると、前記カーテン組立体の前記周囲が前記シール面の各々に係合する、
ところの装置。
【請求項２０】
請求項１９の装置であって、
前記上方部材が、前記上方部材から下方に伸長するポストを含み、
前記の相互に向き合うように対置した側方部材が、前記上方部材を前記側方部材に取り付けるように、前記ポストを受けるソケットを含む、
ところの装置。
【請求項２１】
請求項２０の装置であって、
前記下方部材が、前記下方部材の各々の端部にソケットを含み、
当該装置が、コーナー部材をさらに含み、
前記コーナー部材の各々が、前記側方部材の前記ソケットに受けられる第一のポスト、及び前記下方部材の前記ソケットに受けられる第二のポストを有する、
ところの装置。
【請求項２２】
請求項１９の装置であって、
前記上方部材が、巻き取られ又は供給される前記カーテン組立体を担持するハウジングを含み、
前記カーテン組立体が、前記ハウジングの開口を通過する、
ところの装置。
【請求項２３】
請求項２２の装置であって、
前記上方部材の前記シール面が、前記開口部に隣接して配置される、
ところの装置。
【請求項２４】
請求項２２の装置であって、
前記ハウジングが、第一の部分と、第二の部分とを含み、
前記第一の部分が、前記ハウジングの上部及び一方の側部を含み、
前記第二の部分が、前記ハウジングの底部及び他方の側部を含み、
前記他方の側部が、前記上部に取り付けられ、
前記一方の側部が、前記開口部を形成するように、前記底部から間隔があけられている、
ところの装置。
【請求項２５】
請求項２４の装置であって、
前記上方部材の前記シール面が、前記底部のエッジに形成される、
ところの装置。
【請求項２６】
請求項２２の装置であって、
前記カーテン組立体の巻取りのためのテンションを与えるスプリング、及び
前記スプリングのテンションを調節するための、前記ハウジング内の調節システム、
をさらに含む装置。
【請求項２７】
請求項２６の装置であって、
前記ハウジングが、前記ハウジングに前記調節システムを収容する端部板を含み、前記端部板が、アパーチャを有し、これにより、前記端部板を取り外すことなく、前記調節システムにアクセスされる、
ところの装置。
【請求項２８】
請求項２７の装置であって、
前記ハウジングが、前記端部板上に受けられるカバー板を含み、前記端部板にアクセスできるように、前記カバー板が、前記ハウジングから取外し可能である、
ところの装置。
【請求項２９】
請求項１９の装置であって、
前記カーテン組立体が、布からなるシートを含み、
前記シートが、前記シートの側部エッジの各々に沿って厚みのある領域を有し、前記厚みのある領域が、前記の向き合うように対置した側方部材の各々に受けられる、
ところの装置。
【請求項３０】
請求項２９の装置であって、
前記厚みのある領域が、前記シートの側部エッジの各々にストリップを取り付けることによって形成される、
ところの装置。
【請求項３１】
請求項２９の装置であって、
前記厚みのある領域が、前記シートの側部エッジの各々を折り返し、前記の折り返したエッジを前記シートに取り付けることによって形成される、
ところの装置。
【請求項３２】
請求項１９の装置であって、
前記下方部材が、上方表面と、下方表面とを含み、段差が、これら上方及び下方表面の間に形成され、
前記下方部材の前記シール面が、前記上方表面の上部エッジに形成される、
ところの装置。
【請求項３３】
請求項３２の装置であって、
前記カーテン組立体が、
布シート、及び
前記布シートの一方の端部に取り付けられるバー、
を含み、
前記バーが、前記段差上に配置可能である、
ところの装置。
【請求項３４】
請求項３３の装置であって、
前記段差に隣接して前記バーを維持するように、前記バーに担持され、前記の相互に向き合うように対置した側方部材の少なくとも一つと係合する少なくとも一つのガイド及びロックデバイスをさらに含む装置。
【請求項３５】
請求項１９の装置であって、
前記側方部材の各々が、開口部を有するコンパートメントを含み、前記カーテン組立体のエッジがこの開口部を通じて受けられる、
ところの装置。
【請求項３６】
請求項３５の装置であって、
前記カーテン組立体が、布からなるシートを含み、
前記シートが、その側部エッジの各々に沿って形成される厚みのある領域を有し、前記厚みのある領域の全体が、前記コンパートメントに受けられる、
ところの装置。
【請求項３７】
請求項３５の装置であって、
前記側方部材の各々の前記シール面が、前記コンパートメントの前記開口に形成される、
ところの装置。
【請求項３８】
建物の開口部をカバーするための装置であって、
上方部材、
下方部材、
前記上方部材のエッジと前記下方部材のエッジとの間に伸長する相互に向き合うように対置した側部フレームであって、前記上方部材と、前記下方部材と、前記側部フレームとによって、当該装置の周囲が形成される、ところの側部フレーム、
前記上方部材に担持されるチューブ、
前記側部フレームに沿って手動で移動可能なカーテン組立体であって、前記カーテン組立体の一方の端部が前記チューブに取り付けられ、前記カーテン組立体が前記開口部をカバーしていないときに、前記カーテン組立体が前記チューブに巻き取られ、前記開口部をカバーするために、前記カーテン組立体が前記側部フレームに沿って繰り出される、ところのカーテン組立体、
巻取り位置に向けて前記カーテン組立体をバイアスするスプリング、
当該装置を分解せずに、前記スプリングのテンションを調節するシステム、及び
前記側部フレームに沿って前記カーテン組立体をガイドするために、前記側部フレームの少なくとも一つによって選択的に受けられるように前記カーテン組立体によって担持されるデバイス、
を含み、
前記上方部材、前記下方部材及び前記側部フレームの各々が、シール面を有し、前記カーテン組立体が力に晒されると、前記カーテン組立体の周囲が前記シール面の各々に係合する、
ところの装置。
【発明の詳細な説明】
【技術分野】
【０００１】
本発明は、瓦礫の衝突や強風による破損から構造物の外囲を保護するために、窓等のような構造物の開口部をカバーするための装置に関する。特に、本発明は、風圧に対し、開口部をシールでき、保護できる上記のような装置に関する。
【背景技術】
【０００２】
台風、竜巻などのような自然現象による激しい天候は、建物の構造にダメージを与えることがある。このようなダメージを与える強風や強風により飛ばされた瓦礫は、構造物の最も弱い部分、窓や扉のような構造物の開口部を通じて構造物内に侵入する。特に、周期的に激しい天候にみまわれ易い地域では、このような強風や強風により飛ばされた瓦礫の侵入により、構造物の内部はさらに損傷を受け易く、構造物の最も弱い部分（少なくとも窓と扉）を幾つかのタイプのカバーで保護することが重要である。
【０００３】
最も一般的には、家又は建物の持ち主は、接近してくる嵐を警戒して、構造物の部分に板を釘付けしてカバーする。しかし、この"板付け"方法は、時間が不可欠であるときに、時間がかかるだけでなく、板の取付けと取外しを繰り返すと、構造物の外観を損ねることになる。また、他の目的のために使用できる空間が、この板の収納や板の在庫を維持するために取り上げられてしまう。
【０００４】
その結果、多数の一時的に取り付けることのできる装置や永久的に取り付けられる装置が、構造物の上記の部分を保護するために開発されてきた。これら装置のうちの幾つかは、ヒンジで連結した複数のスラット（slat）（又は小割り板）からなるシャッターである。これらシャッターは、手動でクランクを回転させるか又はモータによって、保護されるべき建物の部分から巻き上げられる。しかし、このようなタイプの装置は、コストがかかるだけでなく、構造物の風上側か風下側のいずれかに取り付けられるかに無関係に適当なシールをもたらさない。
【０００５】
これらシャッターに類似する装置の他の変形物が、布ベースのシステムである。このシステムは、安価であるが、非常に大きく、嵩張り、取付けが困難である。通常、このシステムは、（屋根などの）張出しやヒサシに取り付けられ、保護されるべき窓や扉から２フィートを超える距離のところに配置されなければならない。このシステムは、張出しやヒサシに対する相対的な位置やその特性に従って特別に設計しなければならず、通常、非常に大きく、その取付けと収納に問題が生じる。
【０００６】
したがって、従来技術の問題に影響されないシステムの必要性がある。
【発明の開示】
【発明が解決しようとする課題】
【０００７】
したがって、本発明の目的は、建物の構造物の窓や扉のような開口部をカバーするための装置を提供することである。
【０００８】
本発明の他の目的は、開口部にわたって配置されるように手動で操作できる、フレキシブル材からなるカーテンの形態にある、上記のような装置を提供することである。
【０００９】
本発明のその他の目的は、カーテンが、スプリングによって巻き上げられ、開口部に隣接した位置に収納される、上記のような装置を提供することである。
【００１０】
本発明の他の目的は、装置を分解せずにスプリングのテンションを調節できる、上記のような装置を提供することである。
【００１１】
本発明の他の目的は、開口部の複数の位置でカーテンを保持できる、上記のような装置を提供することである。
【００１２】
本発明の他の目的は、風圧に対して開口部の全周囲をシールし、保護できる、上記のような装置を提供することである。
【００１３】
本発明のこれら目的及び他の目的は、現有の従来技術を超えるその利点と同様に、以下の説明から明らかになり、以下の説明及び特許請求の範囲の改良物によって達成される。
【課題を解決するための手段】
【００１４】
一般に、本発明の一つの態様に従って、建物の開口部をカバーするための装置が、相互に向き合うように対置したフレームと、これらフレームに沿って手動的に移動可能なカーテン組立体と、フレームに沿ってカーテン組立体をガイドするために、少なくとも一つのフレームによって選択的に受けられる、カーテン組立体によって担持されるデバイスとを含む。
【００１５】
本発明の他の態様に従って、建物の開口部をカバーするための装置が、カーテン組立体の一方の端部に取り付けられるチューブを含む。カーテン組立体が開口部をカバーしていないとき、カーテン組立体は、チューブに巻き取られておいる。カーテン組立体は、開口部をカバーするために、チューブから繰り出される。スプリングが、巻取り位置に向けてカーテン組立体をバイアスさせるために与えられる。当該装置を分解せずにスプリングのテンションを調節するテンション調節システムが与えられる。
【００１６】
本発明のその他の態様に従って、建物の開口部をカバーするための装置が、上方部材、下方部材、及びこれら上方部材のエッジと下方部材のエッジとの間に伸長する相互に向き合うように対置した側方部材を含む。これら上方、下方及び側方部材は、装置の周囲を形成する。カーテン組立体が、上方部材と下方部材との間、及び側方部材の間に伸長し、これらの間の空間をカバーする。上方、下方及び側方部材の各々は、シール表面を有し、カーテン組立体が力に晒されると、カーテン組立体の周囲がこれらシール表面の各々に係合する。
【発明の効果】
【００１７】
ここに説明される防風装置は、従来技術を改善し、本発明の目的を達成するものである。
【発明を実施するための最良の形状】
【００１８】
図１に、本発明に従った防風装置２０を示す。この装置２０は、構造物２２の窓２１又は他の開口部に取り付けることができるものである。防風装置２０は、相互に向き合うように対置したフレーム２３、２４、これらフレーム２３、２４の下端部の間に伸長する底部敷居２５、フレーム２３、２４の上端部の間に伸長するヘッダー（又はカーテン収納領域）２６、及びカーテン組立体２７を含む。装置２０は、フレーム２３、２４を通じて受けられる在来のファスナー２８の手段によって構造物２２に取り付けることができる。
【００１９】
カーテン組立体２７は、布シート２９を含み、布シート２９は、その垂直方向の各エッジに取り付けた材料からなるストリップ３０を有する。ストリップ３０は、縫付け、糊付け又は溶着などにより、布シート２９に取り付けられる材料片に分離できるか、又は、変形的に、シート２９のエッジは、折り返され、縫い付けられて、布シート２９上にストリップ３０により作り出される厚みのあるエッジが形成される。布シート２９は、耐候性があり、強風や飛ばされた瓦礫により生成される力に耐性のある任意の頑丈で、好適に軽量な材料からなる。例えば、ビニル又はウレタンをコーティングしたナイロン又はポリエステル製のシート状の布が布シート２９に適している。
【００２０】
カーテン組立体２７は、布シート２９の一方の端部に取り付けられるバー３１も含む。布シート２９の他方の端部は、テンション組立体３２（図９）によって担持される。テンション組立体３２は、後述するように、ヘッダー２６の一部であり、使用していないとき、布シート２９は、図７に示すように、ヘッダー２６内に巻き取られている。ヘッダー２６が防風装置２０の上部に示され、カーテン組立体２７がヘッダー２６から垂直な方向に移動可能となっているが、本発明の精神から逸脱せずに、ヘッダー２６は、装置２０の側部にカーテン組立体と共に形成され、カーテン組立体が、装置２０にわたって水平な方向に移動可能となるようにしてもよい。
【００２１】
ヘッダー２６は、カーテン組立体２７を収納できるハウジングを含み、ハウジングは、二つのハウジング部分３３、３４から利便的に形成され得る。図７に示すように、後述するようなやり方で組み立てたとき、ハウジング部分３３は、ヘッダー２６の上面３５と、一方の側面３６とを形成し、ハウジング部分３４は、ヘッダー２６の底面３７と、側面３６と向き合う側面３８とを形成する。
【００２２】
ハウジング部分３３の上面３５と側面３６の結合部には、ファスナー４０（図９）を受けるラグ（lug）３９が形成される。この結合部と反対側の上面３５の端部には、ファスナー４２(図９)を受けるラグ４１が形成され、同様に、この結合部と反対側の側面３６の端部には、ファスナー４４（図１０）を受けるラグ４３が形成されている。
【００２３】
同様に、ハウジング部分３４の底面３７と側面３８の結合部には、ファスナー４６（図９）を受けるラグ４５が形成され、この結合部と反対側の底面３７の端部には、ファスナー（図示せず）を受けるラグ４７が形成される。また、この結合部と反対側の側面３８の端部には、ラグ４１に形成した溝４９内に係合する突縁４８が形成される。
【００２４】
ヘッダー２６が組み立てられると、側面３６のラグ４３と、底面３７のラグ４７との間に間隔又は開口が形成され、布シート２９が、この間隔又は開口を通過する。また、後述するように、シール面５０がラグ４７に形成され、これにより、布シート２９が（図７において、左側からの）風圧を受けているとき、シート２９は、変形し、シール面５０に係合し、カーテン組立体２７の上部の周囲をシールする。
【００２５】
図９に示すように、ハウジング部分３３、３４は、端部キャップ５１の手段によってヘッダー２６を形成するように、組み立てられ、維持される。端部キャップ５１は、ハウジング部分３３、３４の各々の端部内にスライドされ、端部キャップ５１の四つのコーナー付近のアパーチャ５２がラグ３９、４１、４３、４５のアパーチャと一直線上に整列され、これらを通じてファスナー４０、４２、４４、４６が受けられる。
【００２６】
図７及び図９に示すように、供給される布シート２９が、ヘッダー２６内に維持され、釣合チューブ５３上に巻き取られている。釣合チューブ５３は、テンション組立体３２の一部であり、上述したように、シート２９の一方の端部に取り付けられる。チューブ５３及びテンション組立体３２によって、布シート２９がチューブ５３上に巻き取られ又はチューブ５３から繰り出される。釣合スプリング５４が、チューブ５３と共に回転するように取り付けられる一方の端部を有し、その他方の端部は、ドライバー５５に取り付けられている。ドライバー５５の外側端部は、端部キャップ５１の開口（図示せず）を通じて伸長し、歯車板５８に形成したアパーチャ５７の内側に係合するナット５６のスプラインを付けた延長部分を受ける。歯車板５８の周囲には、複数の放射方向に突き出した歯５９が設けられている。
【００２７】
歯５９は、歯止（歯車の逆回移転を防ぐ）組立体６０と相互に連携して、ドライバー５５によってスプリング５４の端部の位置を、そのテンションを増加させるように維持する。歯車板５８が１０個の歯５９を有するように示されているが、歯５９の個数は、所望のテンションの増加分に従って加減すればよい。この増加分（歯車板５８の１回転による）は、歯５９の個数と基本的に反比例する。よって、１０個の葉で示す実施例では、テンション増加分は、１回転の１／１０である。
【００２８】
図９及び図１０に示すように、歯止組立体６０は、歯５９と相互に作用して、スプリング５４の力に抗して歯車板５８を保持する。歯止組立体６０は、歯止組立体６０を通じるアパーチャ６２を有する枢動部分６１を含む。アパーチャ６２は、端部キャップ５１に形成されるハブ６３に受けられる。歯係合アーム６４が、歯車板５８に向けて枢動部分６１から伸長する。このアーム６４は、第一の平坦な表面６５と、第二の表面を有する楔形の部材であり、この第一の平坦な表面６５が歯５９の前方の表面に係合し、第二の表面が歯５９の後方の側部に係合して、歯車板５９を回転に抗して保持している。歯止組立体６０は、好適に、ハブ６３に受けられるスプリング６７を含む。このスプリング６７は、当業者には明かなように、歯車板５８と係合するように、力をアーム６４に及ぼすように配置されるものである。
【００２９】
テンション組立体３２の構成成分は、端部板６８によって一方の端部キャップ５１内に収容され、維持される。端部板６８は、３個の周囲のアパーチャ６９を有し、これらアパーチャ６９は、ファスナーを受けるためにフレーム（端部キャップ）５１に形成したラグ７０と一直線に整列される。端部板６８のほぼ中央のアパーチャ７１が、ナット５６を露出するように位置決めされている。図１０に示すように、少なくとも一つのファスナー７２が、一つのアパーチャ６９を通じ、一つのラグ７０に伸長し、端部板６８をフレーム（端部キャップ）５１に保持する。カバー板７３が、ヘッダー２６の各端部を完全に閉じるために与えられ、好適に、テンション組立体３２を有するヘッダー２６の端部の側に、端部板６８の二つのアパーチャ６９と一直線に整列する二つのアパーチャ７４が設けられ、ファスナー７５が、アパーチャ６９を通じてラグ７０に受けられる。
【００３０】
よって、スプリング５４のテンションは、上記した構造によって、明かに容易に調節できる。調節ナット５６が端部板６８のアパーチャ７１を通じて露出するように、カバー板７３を取り外す必要がある。歯止組立体６０の力を克服するように、ナット５６を時計回りに回転させると、スプリング５４のテンションが増加する。スプリング５４のテンションを低減させる場合、歯止組立体６０と歯車板５８との係合が解除されるまで、テンションを増加させる方向に少しだけナット５６を回転させ、スプリング６７の変位を克服するように手動で歯止組立体６０を回転させる。アーム６４と歯５９との係合が解除され、テンションを増加させない方向（反時計回り）にナット５６が回転し、スプリング５４のテンションが低減する。よって、スプリング５４のテンションは、装置を分解せずに、単に、カバー板７３を取り外すだけで調節できる。
【００３１】
側部フレーム２３、２４の断面形状は同一なので、図６Ａに示す側部フレーム２４について説明する。側部フレーム２４は、外側端部壁８２によって後方側表面又は内側表面８１から間隔をあけられた前方側表面又は外側表面８０を含む。装置２０が取り付けられると、内側表面８１は、構造物２２に対面するように配置される。内側端部壁８３が内側表面８１の内側の端部に形成される。ただし、内側端部壁８３は、前方側表面（外側表面）８０へ達するように伸長していない。内側端部壁８３は、中間壁８４の手前まで伸長し、カーテン組立体２７のエッジを受ける空間を作り出している。中間壁８４は、前方側表面８０及び後方側表面８１とほぼ平行に形成され、前方側表面８０と中間壁８４との間に伸長する短い壁８５と、後方側表面８１と中間壁８４との間に伸長する支持壁８６とによって支持される。補強壁８７が、中間壁８４、前方側表面８０及び後方側表面８１と平行に配置され、内側端部壁８３と支持壁８６との間に伸長する。
【００３２】
よって、ストリップ３０を有する布シート２９の厚みのあるエッジは、支持壁８６と、内側端部壁８３の端部と、中間壁８４と、補強壁８７との間に形成されるコンパートメント８８内に受けられる。シート２９は、コンパートメント８８内に挿入される。一旦シート２９がコンパートメント８８内に挿入されると、シート２９は、ストリップ３０又は厚みのある領域が内側端部壁８３の端部に係合しているので、容易に引き出すことができない。
【００３３】
ここで、シール面８９が内側端部壁８３の端部上に形成される。風が布シート２９に（図６Ａ及び図６Ｂにおいて上方向に）吹き付けているとき、シート２９は、シール面８９に押し付けられ、これにより、シール面５０による上部のシールと同様に、布シート２９の各側部に沿ってシールされる。また、装置２０が、構造物２２の風下側の窓２１を保護している場合、風が構造物２２の上部を通過すると、図６Ｃに示す真空状態が生じて、シート２９の厚みのある領域３０が補強壁８７に係合する。
【００３４】
側部フレーム２３、２４は、外側端部壁８２と支持壁８６からそれぞれ相互に向き合うように伸長したナブ（nub）９０を含み、後方側表面（壁）８１と、外側端部壁８２と、支持壁８６とによってソケット９１が形成される。ソケット９１は、側部フレーム２３、２４を敷居２５とヘッダー２６に取り付けるためのものである。すなわち、ヘッダー２６の端部キャップ５１に形成したポスト９２が、ソケット９１の上方の端部にしっかりと受けられ、必要に応じて、ファスナー（図示せず）によって、決まった場所に保持できる。ソケット９１の下方の端部は、コーナーキー（corner key）９４の一方のポスト９３をしっかりと受ける。ポスト９２の場合と同様に、必要に応じて、ポスト９３は、ファスナー（図示せず）によって、フレーム２３、２４の決まった場所に永久的に保持できる。コーナーキー９４は、ポスト９３と垂直な方向に配置した第二のポスト９５を含む。各コーナーキー９４のポスト９５は、図５Ａ及び図５Ｂを参照して後述するように、敷居２５に受けられる。
【００３５】
敷居２５には、内側表面９６と段差外側表面が形成されている。内側表面９６は、装置２０が取り付けられるときに、構造物２２の側に配置される。段差外側表面は、下方部分９７と上方部分９８とからなる。段差９９が、下方部分９７と上方部分９８との間に形成され、バー３１のレッジ（ledge）（又は横桟）として働く。ここで、バー３１は、上述したように、布シート２９の底部に取り付けられている。上部壁１００が、外側表面の上方部分９８と内側表面９６との間に伸長し、底部壁１０１が、外側表面の下方部分９７と内側表面９６との間に伸長する。補強壁１０２が、上方部分９８の底部と内側表面９６との間に伸長する。ナブ１０３が、段差９９と底部壁１０１とにそれぞれ相互に向き合うように形成され、内側表面９６と、下方部分１０１と、底部壁１０１とによって、ソケット１０４が形成される。ソケット１０４は、各端部で、コーナーキー９４のポスト９５をしっかりと受け、敷居２５がフレーム２３、２４の間に取り付けられる。必要に応じて、この連結をより永久的にするために、ファスナー（図示せず）が使用され得る。
【００３６】
シール面１０５が、上部壁１００と、段差外側表面の上方部分９８との結合部に形成される。風が布シートに（図５Ａの右から左の方向に）吹き付けられているとき、シート２９は、シール面１０５に押し付けられ、これにより、シール面５０による上部のシールと、シール面８９による側部のシールと同様に、布シート２９の底部に沿ってシールできる。その結果、装置２０では、風自身の力により、周囲全体のシールができる。図５Ｂに、装置２０が構造物２２の風下側の窓を保護しているときの状態の布シート２９の下方部分を示す。
【００３７】
カーテン組立体２７が手動で上下に移動されると、そのエッジが、側部フレーム２３、２４に沿うようにガイドされることが望ましい。このために、スロット１０６が、側部フレーム２３、２４の中間壁８４の内側の端部と、前方表面８０の内側の端部との間に形成される。この最も簡単な形状では、布シートをガイドするデバイスは、バー３１の中空部分１０７（図８）に挿入される部材（図示せず）であり得る。この部材は、側部フレーム２３、２４のスロット１０６内に挿入できるように外方向に伸長するフランジを有する。しかし、本発明の第一の態様では、このガイドデバイスは、図１に示すように、完全に閉じた位置、又は図２に示すように、（例えば、構造物２２の所有者が、窓２１を部分的に遮るようにカーテン組立体２７を使用することを所望しているときに）任意の中間の位置にカーテン組立体２７を保持できるロック機能としても働くものである。
【００３８】
バー３１には、図３、図４及び図６に示すガイド及びロック組立体１１０が設けられる。この組立体１１０は、ハウジング１１１を含む。ハウジング１１１は、バー３１の少なくとも一方の端部（好適に、フレーム２３、２４の両方と相互に連携させるように、バー３１の両方の端部）の付近に、バー３１によって担持されている。各ハウジング１１１は、開口を有し、この開口を通じて、プランジャ１１３のフランジ１１２が伸長する。プランジャ１１３は、その他方の端部に形成したソケット１１４を有し、このソケット１１４でコイルスプリング１１５の一方の端部を受ける。スプリング１１５の他方の端部は、ハウジング１１１に形成したラグ１１６上に配置される。ボタン１１７が、タブ１１８を有する。タブ１１８は、ハウジング１１１のスロット１１９を通じて、プランジャ１１３に形成したリセス１２０に係合する。
【００３９】
図３Ａ、図６Ｂ及び図６Ｃに示すように、スプリング１１５は、通常、フランジ１１２が組立体１１０に隣接する側部フレーム２３及び／又は側部フレーム２４のスロット１０６内にあるように、プランジャ１１３上に作用している。フランジ１１２は、その両方の側部で先細くなっており（符号１２１で示す先細部分）、図６Ｂに示すように、スロット１０６内に楔のように挿入、配置される。この配置では、カーテン組立体２７は、使用者によって選択された高さに、フレーム２３、２４に関して保持される。先細部分１２１は、図６Ｃに示すような風の状態においても、スロット１０６内でのフランジ１１２の枢動を許容する。
【００４０】
カーテン組立体２７のロックを解除し、新しい位置に移動させたいときは、図３Ａに示すように、スロット１０６からフランジ１１２の咲き細の部分を引き出すようにスプリング１１５のバイアスを克服させるために、使用者が、単に、ボタン１１７をスライドさせるだけでよく、このとき、図６Ａに示すように、フランジ１１２は、スロット１０６内にロックされることはないが、スロット１０６内にあり、カーテン組立体２７を手動でヘッダー２６から引き出し又はヘッダー２６内に戻すときのガイド機能を果たす。次に、組立体１１０のボタン１１７を解除すると、カーテン組立体２７は、スプリング１１５によって伸長されたフランジ１１２によって、その意図とする位置に再び保持される。
【００４１】
本発明を実施し得る全ての様々な形態及び変更物を示さないが、本発明の原理を組み入れた、建物の開口部をカバーするための好適実施例の装置が、添付の図面に例示される。本発明は、明細書の詳細な説明によるのではなく、特許請求の範囲により決定されるものである。
【図面の簡単な説明】
【００４２】
【図１】図１は、本発明に従った装置の斜視図であり、構造物の窓に受けるものを示す。
【図２】図２は、図１の分解斜視図である。
【図３】図３Ａは、図２の装置のロック機構の部分拡大図であり、図３Ｂは、図３Ａと同様の部分拡大図であるが、ロック解除状態にあるロック機構を示す。
【図４】図４は、図３Ａに示すロック機構の分解図である。
【図５】図５Ａは、図１の５−５線断面図であり、風圧下にある装置のフレキシブル材を示し、図５Ｂは、図５Ａと同様の断面図であるが、真空状態にあるフレキシブル材を示す。
【図６】図６Ａは、図２の６−６線断面図であり、ロック解除状態にある図３Ｂの機構と、風圧下にある装置のフレキシブル材を示し、図６Ｂは、図６Ａの断面図であり、ロック状態にある図３Ａの機構を示し、図６Ｃは、図６Ｂと同様の断面図であるが、真空状態にあるフレキシブル材を示す。
【図７】図７は、図１の７−７線断面図であり、引込み位置にあるフレキシブル材を示す。
【図８】図８は、図２の８−８線断面図である。
【図９】図９は、図２の部分拡大図である。
【図１０】図１０は、図９の構成成分の部分分解斜視図である。
【符号の説明】
【００４３】
２０・・・装置
２１・・・窓
２２・・・構造物
２３、２４・・・フレーム
２５・・・底部敷居
２６・・・ヘッダー（又はカーテン収納領域）
２７・・・カーテン組立体
２８・・・ファスナー
２９・・・布シート
３０・・・ストリップ
３１・・・バー
３２・・・テンション組立体
３３、３４・・・ハウジング部分
３５・・・上面
３６・・・側面
３７・・・底面
３８・・・側面
３９、４１、４３、４５、４７・・・ラグ
４０、４２、４４、４６・・・ファスナー
４８・・・突縁
４９・・・溝
５０・・・シール面
５１・・・端部キャップ
５２・・・アパーチャ
５３・・・釣合チューブ
５４・・・釣合スプリング
５５・・・ドライバー
５６・・・ナット
５７・・・アパーチャ
５８・・・歯車板
５９・・・歯
６０・・・歯止組立体
６１・・・枢動部分
６２・・・アパーチャ
６３・・・ハブ
６４・・・アーム
６５・・・第一の平坦な表面
６７・・・スプリング
６８・・・端部板
６９、７１，７４・・・アパーチャ
７０・・・ラグ
７３・・・カバー板
７５・・・ファスナー
８０・・・前方側表面又は外側表面
８１・・・後方側表面又は内側表面
８２・・・外側端部壁
８３・・・内側端部壁
８４・・・中間壁
８５・・・短い壁
８６・・・支持壁
８７・・・補強壁
８８・・・コンパートメント
８９・・・シール面
９０・・・ナブ
９１・・・ソケット
９２、９３、９５・・・ポスト
９４・・・コーナーキー
９６・・・内側表面
９７・・・下方部分
９８・・・上方部分
９９・・・段差
１００・・・上部壁
１０１・・・底部壁
１０２・・・補強壁
１０３・・・ナブ
１０４・・・ソケット
１０５・・・シール面
１１０・・・ガイド及びロック組立体
１１１・・・ハウジング
１１２・・・フランジ
１１３・・・プランジャ
１１４・・・ソケット
１１５・・・コイルスプリング
１１６・・・ラグ
１１７・・・ボタン
１１８・・・タブ
１１９・・・スロット
１２０・・・リセス
【図１】
2006509135.tif 000003
【図２】
2006509135.tif 000004
【図３】
2006509135.tif 000005
【図４】
2006509135.tif 000006
【図５】
2006509135.tif 000007
【図６】
2006509135.tif 000008
【図７】
2006509135.tif 000009
【図８】
2006509135.tif 000010
【図９】
2006509135.tif 000011
【図１０】
2006509135.tif 000012
【国際調査報告】
2006509135.tif 000013
2006509135.tif 000014
2006509135.tif 000015
2006509135.tif 000016
2006509135.tif 000017